(57)【要約】【課題】簡易な構造で、建築物の躯体内空間における通気を容易かつ確実に行うことができる躯体内温度管理システムを提供する。【解決手段】躯体内温度管理システム１は、住宅１０の外部から太陽光を採光する３つの採光部８１、８２および８３と、太陽光を受光して熱を吸収する２つの吸熱部９１および９２と、太陽光を採光部８１、８２、８３から吸熱部９１、９２へ導光する６つの反射板７０１〜７０６で構成された導光手段７とを備えている。採光部８１〜８３は、屋根部２１の最下部より下側に設けられている。また、吸熱部９１および９２は、小屋空間４１よりも下側の躯体内空間４０に設けられている。太陽光が吸熱部９１に照射されると、吸熱部９１の周囲の空気の温度が上昇して上昇気流が発生し、これにより躯体内空間４０内を空気が循環する。【選択図】図１
2007120131.tif 000002
【特許請求の範囲】
【請求項１】
建築物の外部から太陽光を採光する採光部と、
前記建築物の躯体内空間のうち、該建築物の屋根の下方に形成される小屋空間よりも鉛直方向下側の躯体内空間に設けられ、前記採光部を介して採光された太陽光を受光して熱を吸収する吸熱部と、
太陽光を前記採光部から前記吸熱部へ導光する導光手段とを有し、
前記吸熱部が前記導光手段によって導光された太陽光を受光して熱を吸収することにより、該吸熱部の周囲の空気の温度が上昇して上昇気流が発生し、これにより前記躯体内空間内を空気が流れるよう構成されていることを特徴とする躯体内温度管理システム。
【請求項２】
前記吸熱部は、少なくとも床下空間に設けられている請求項１に記載の躯体内温度管理システム。
【請求項３】
前記吸熱部は、少なくとも、隣接する上下の階の間に形成されるふところ空間に設けられている請求項１に記載の躯体内温度管理システム。
【請求項４】
前記吸熱部は、少なくとも内壁空間に設けられている請求項１に記載の躯体内温度管理システム。
【請求項５】
前記導光手段は、前記採光部を介して採光された太陽光を次々と反射して導光する複数の反射板を有する請求項１ないし４のいずれかに記載の躯体内温度管理システム。
【請求項６】
前記導光手段は、前記採光部を介して採光された太陽光を反射させずに前記吸熱部へ導光するよう構成されている請求項１ないし４のいずれかに記載の躯体内温度管理システム。
【請求項７】
前記導光手段は、前記採光部を介して採光された太陽光を、前記建築物の所定の室内を経由して前記吸熱部へ導光するよう構成されている請求項１ないし６のいずれかに記載の躯体内温度管理システム。
【請求項８】
前記導光手段は、前記太陽光を反射させずに前記室内を通過させるよう構成されている請求項７に記載の躯体内温度管理システム。
【請求項９】
前記採光部を介して採光される太陽光の光量を調整する光量調整手段を有する請求項１ないし８のいずれかに記載の躯体内温度管理システム。
【請求項１０】
前記光量調整手段は、前記採光部の太陽光の採り入れ口を開閉するシャッタである請求項９に記載の躯体内温度管理システム。
【請求項１１】
前記建築物の外部から前記躯体内空間に空気を流入する流入部と、前記躯体内空間内の空気を前記建築物の外部に流出する流出部とを有する請求項１ないし１０のいずれかに記載の躯体内温度管理システム。
【請求項１２】
前記流入部は、その空気の流入口を開閉し得るよう構成され、前記流出部は、その空気の流出口を開閉し得るよう構成されている請求項１１に記載の躯体内温度管理システム。
【請求項１３】
前記躯体内空間の複数箇所に設けられ、電気エネルギーで発熱する人工熱源を有し、
前記人工熱源を前記躯体内空間の温度制御の補助熱源として用いるよう構成されている請求項１ないし１２のいずれかに記載の躯体内温度管理システム。
【請求項１４】
前記躯体内空間の温度が略均一になるように、前記人工熱源の駆動を制御する温度制御手段を有する請求項１３に記載の躯体内温度管理システム。
【請求項１５】
前記人工熱源は、前記吸熱部が設置されていない箇所に設置されている請求項１３または１４に記載の躯体内温度管理システム。
【請求項１６】
前記人工熱源は、前記吸熱部が設置されていない箇所と、前記吸熱部が設置されている箇所とに設置されており、
前記吸熱部が設置されていない箇所に設置されている人工熱源の稼動率は、前記吸熱部が設置されている箇所に設置されている人工熱源の稼動率より高い請求項１３または１４に記載の躯体内温度管理システム。
【請求項１７】
前記人工熱源は、発光ダイオードである請求項１３ないし１６のいずれかに記載の躯体内温度管理システム。
【請求項１８】
前記建築物の所定の室に設けられ、前記発光ダイオードから発せられた光を前記室内に放光する放光部を有する請求項１７に記載の躯体内温度管理システム。
【請求項１９】
前記採光部は、前記建築物の略北側に設けられ、略東側および／または略西側から太陽光を採光し得るよう構成されている請求項１ないし１８のいずれかに記載の躯体内温度管理システム。
【請求項２０】
さらに、筐体を有し、
前記採光部は、前記筐体の鉛直方向上側に設けられており、
前記導光手段は、前記筐体の略西側の内面に設けられた第１の反射面と、前記筐体の略東側の内面に設けられた第２の反射面と、前記筐体の鉛直方向下側の内面に設けられた第３の反射面とを有し、前記採光部において略東側から採光された太陽光が、前記第１の反射面で前記第３の反射面に向って反射し、その反射光が、前記第３の反射面で前記建築物の内側に向って反射し、前記採光部において略西側から採光された太陽光が、前記第２の反射面で前記第３の反射面に向って反射し、その反射光が、前記第３の反射面で前記建築物の内側に向って反射するように構成されている請求項１９に記載の躯体内温度管理システム。
【請求項２１】
前記採光部は、前記建築物の屋根の最下部より鉛直方向下側に設けられている請求項１ないし２０のいずれかに記載の躯体内温度管理システム。
【請求項２２】
前記建築物は、２階建てであり、
前記採光部は、前記建築物の１階の側壁またはそれより鉛直方向下側に設けられている請求項１ないし１８のいずれかに記載の躯体内温度管理システム。
【請求項２３】
前記採光部は、複数箇所に設けられており、そのうちの１つの採光部と、他の１つの採光部とは、互いの採光面同士が異なる方向を向くように設置されている請求項１ないし２２のいずれかに記載の躯体内温度管理システム。
【請求項２４】
前記吸熱部は、複数箇所に設けられており、そのうちの１つの吸熱部と、他の１つの吸熱部とは、互いの吸熱面同士が異なる方向を向くように設置されている請求項１ないし２３のいずれかに記載の躯体内温度管理システム。
【発明の詳細な説明】
【技術分野】
【０００１】
本発明は、躯体内温度管理システムに関するものである。
【背景技術】
【０００２】
従来、建築物として、例えば、屋根の下方に形成される小屋空間と、床の下方に形成される床下空間とが、内壁空間（内壁空洞）を介して連通している住宅において、所定箇所にファン等の送気装置を設置し、その送気装置により、小屋空間、内壁空間および床下空間に空気を循環させるエアサイクル住宅が知られている（例えば、特許文献１参照）。
【０００３】
しかしながら、前記送気装置を用いたエアサイクル住宅では、送気装置から音（騒音）が発せられるので、不快であり、また、送気装置のメンテナンスを必要とし、また、コストが高いという欠点がある。
【０００４】
また、送気装置を用いないエアサイクル住宅として、その住宅の外壁の内側と、屋根の下方とに断熱材よりなる通気用壁を設け、この通気用壁と、外壁および屋根面との間に形成された通気路（通気層）内に、外気（空気）を取り入れ、さらに、通気路内の空気に外壁や屋根を介して太陽熱（熱）を吸収させ、通気路内に生じる空気の圧力差を利用して、空気を循環させるように構成されているものがある。
【０００５】
しかしながら、前記送気装置を用いないエアサイクル住宅では、太陽光が外部から外壁の外面や屋根の外面に照射され、熱が外壁や屋根を伝わって、通気路内の空気に伝達され、これにより通気路内の空気が暖められるので、熱効率が悪いという欠点がある。
【０００６】
また、通気路内の空気のうち、太陽光が照射された部位に対応する部分の空気が暖められ、一方、太陽光が照射される部位は、経時的に変化するので、空気を円滑に循環させるのは、困難である。
【０００７】
【特許文献１】特開平１０−１３２３０１号公報
【発明の開示】
【発明が解決しようとする課題】
【０００８】
本発明の目的は、簡易な構造で、建築物の躯体内空間における通気を容易かつ確実に行うことができる躯体内温度管理システムを提供することにある。
【課題を解決するための手段】
【０００９】
このような目的は、下記（１）〜（２４）の本発明により達成される。
（１）  建築物の外部から太陽光を採光する採光部と、
前記建築物の躯体内空間のうち、該建築物の屋根の下方に形成される小屋空間よりも鉛直方向下側の躯体内空間に設けられ、前記採光部を介して採光された太陽光を受光して熱を吸収する吸熱部と、
太陽光を前記採光部から前記吸熱部へ導光する導光手段とを有し、
前記吸熱部が前記導光手段によって導光された太陽光を受光して熱を吸収することにより、該吸熱部の周囲の空気の温度が上昇して上昇気流が発生し、これにより前記躯体内空間内を空気が流れるよう構成されていることを特徴とする躯体内温度管理システム。
【００１０】
（２）  前記吸熱部は、少なくとも床下空間に設けられている上記（１）に記載の躯体内温度管理システム。
【００１１】
（３）  前記吸熱部は、少なくとも、隣接する上下の階の間に形成されるふところ空間に設けられている上記（１）に記載の躯体内温度管理システム。
【００１２】
（４）  前記吸熱部は、少なくとも内壁空間に設けられている上記（１）に記載の躯体内温度管理システム。
【００１３】
（５）  前記導光手段は、前記採光部を介して採光された太陽光を次々と反射して導光する複数の反射板を有する上記（１）ないし（４）のいずれかに記載の躯体内温度管理システム。
【００１４】
（６）  前記導光手段は、前記採光部を介して採光された太陽光を反射させずに前記吸熱部へ導光するよう構成されている上記（１）ないし（４）のいずれかに記載の躯体内温度管理システム。
【００１５】
（７）  前記導光手段は、前記採光部を介して採光された太陽光を、前記建築物の所定の室内を経由して前記吸熱部へ導光するよう構成されている上記（１）ないし（６）のいずれかに記載の躯体内温度管理システム。
【００１６】
（８）  前記導光手段は、前記太陽光を反射させずに前記室内を通過させるよう構成されている上記（７）に記載の躯体内温度管理システム。
【００１７】
（９）  前記採光部を介して採光される太陽光の光量を調整する光量調整手段を有する上記（１）ないし（８）のいずれかに記載の躯体内温度管理システム。
【００１８】
（１０）  前記光量調整手段は、前記採光部の太陽光の採り入れ口を開閉するシャッタである上記（９）に記載の躯体内温度管理システム。
【００１９】
（１１）  前記建築物の外部から前記躯体内空間に空気を流入する流入部と、前記躯体内空間内の空気を前記建築物の外部に流出する流出部とを有する上記（１）ないし（１０）のいずれかに記載の躯体内温度管理システム。
【００２０】
（１２）  前記流入部は、その空気の流入口を開閉し得るよう構成され、前記流出部は、その空気の流出口を開閉し得るよう構成されている上記（１１）に記載の躯体内温度管理システム。
【００２１】
（１３）  前記躯体内空間の複数箇所に設けられ、電気エネルギーで発熱する人工熱源を有し、
前記人工熱源を前記躯体内空間の温度制御の補助熱源として用いるよう構成されている上記（１）ないし（１２）のいずれかに記載の躯体内温度管理システム。
【００２２】
（１４）  前記躯体内空間の温度が略均一になるように、前記人工熱源の駆動を制御する温度制御手段を有する上記（１３）に記載の躯体内温度管理システム。
【００２３】
（１５）  前記人工熱源は、前記吸熱部が設置されていない箇所に設置されている上記（１３）または（１４）に記載の躯体内温度管理システム。
【００２４】
（１６）  前記人工熱源は、前記吸熱部が設置されていない箇所と、前記吸熱部が設置されている箇所とに設置されており、
前記吸熱部が設置されていない箇所に設置されている人工熱源の稼動率は、前記吸熱部が設置されている箇所に設置されている人工熱源の稼動率より高い上記（１３）または（１４）に記載の躯体内温度管理システム。
【００２５】
（１７）  前記人工熱源は、発光ダイオードである上記（１３）ないし（１６）のいずれかに記載の躯体内温度管理システム。
【００２６】
（１８）  前記建築物の所定の室に設けられ、前記発光ダイオードから発せられた光を前記室内に放光する放光部を有する上記（１７）に記載の躯体内温度管理システム。
【００２７】
（１９）  前記採光部は、前記建築物の略北側に設けられ、略東側および／または略西側から太陽光を採光し得るよう構成されている上記（１）ないし（１８）のいずれかに記載の躯体内温度管理システム。
【００２８】
（２０）  さらに、筐体を有し、
前記採光部は、前記筐体の鉛直方向上側に設けられており、
前記導光手段は、前記筐体の略西側の内面に設けられた第１の反射面と、前記筐体の略東側の内面に設けられた第２の反射面と、前記筐体の鉛直方向下側の内面に設けられた第３の反射面とを有し、前記採光部において略東側から採光された太陽光が、前記第１の反射面で前記第３の反射面に向って反射し、その反射光が、前記第３の反射面で前記建築物の内側に向って反射し、前記採光部において略西側から採光された太陽光が、前記第２の反射面で前記第３の反射面に向って反射し、その反射光が、前記第３の反射面で前記建築物の内側に向って反射するように構成されている上記（１９）に記載の躯体内温度管理システム。
【００２９】
（２１）  前記採光部は、前記建築物の屋根の最下部より鉛直方向下側に設けられている上記（１）ないし（２０）のいずれかに記載の躯体内温度管理システム。
【００３０】
（２２）  前記建築物は、２階建てであり、
前記採光部は、前記建築物の１階の側壁またはそれより鉛直方向下側に設けられている上記（１）ないし（１８）のいずれかに記載の躯体内温度管理システム。
【００３１】
（２３）  前記採光部は、複数箇所に設けられており、そのうちの１つの採光部と、他の１つの採光部とは、互いの採光面同士が異なる方向を向くように設置されている上記（１）ないし（２２）のいずれかに記載の躯体内温度管理システム。
【００３２】
（２４）  前記吸熱部は、複数箇所に設けられており、そのうちの１つの吸熱部と、他の１つの吸熱部とは、互いの吸熱面同士が異なる方向を向くように設置されている上記（１）ないし（２３）のいずれかに記載の躯体内温度管理システム。
【発明の効果】
【００３３】
本発明によれば、簡易な構造で、建築物の躯体内空間（躯体内）における通気や空気の循環を容易かつ確実に行うことができ、これにより、躯体内の温度や湿度の管理を容易に行うことができる。これによって、建築物を、快適に利用することができ、また、建築物の耐久性を向上させることができる。
【００３４】
また、吸熱部が小屋空間よりも鉛直方向下側の躯体内空間に設けられているので、小屋空間よりも下側の箇所において、駆動力となる上昇気流を発生させることができ、これによって、躯体内空間における通気や空気の循環をより確実に行うことができる。
【００３５】
また、吸熱部は、躯体内空間の任意の箇所に設けることができるので、吸熱部を躯体内の目的箇所に設けることにより、その目的箇所において駆動力となる上昇気流を発生させることができる。これにより、躯体内空間における空気の流れや循環を自在に設定することができる。
【００３６】
また、吸熱部により太陽光を効率良く熱に変換することができるとともに、太陽光が躯体内空間において吸熱部に照射（受光）されるので、吸熱部に吸収された熱（熱エネルギー）が、効率良く、吸熱部の周囲の空気に伝達され、その空気の温度が上昇させることができ、熱効率が非常に良い。
【００３７】
また、ファン等の送気装置を設ける必要がないので、騒音がなく、快適であり、また、メンテナンスが不要であり、また、コストを低減することができる。また、モータ等の駆動源を必要としないので、省エネルギー化を図ることができる。
【発明を実施するための最良の形態】
【００３８】
以下、本発明の躯体内温度管理システムを添付図面に示す好適実施形態に基づいて詳細に説明する。
【００３９】
図１は、本発明の躯体内温度管理システムの第１実施形態が適用された建築物としての住宅の概略構造を示す断面図、図２は、図１に示す躯体内温度管理システムのブロック図、図３は、図１に示す躯体内温度管理システムの作用（機能）を説明するための断面図である。
【００４０】
なお、説明の都合上、図１および図３において、上側を「上」、下側を「下」、左側を「左」、右側を「右」として説明する。
【００４１】
図１に示すように、住宅（建築物）１０は、２階建てであり、室３１、３２および３３、図示しない玄関、図示しない廊下等を画成する躯体２０を有している。なお、室３１〜３３は、それぞれ、居間や寝室に限らず、この他、例えば、キッチン、浴室、トイレ等、種々のものであってよい。
【００４２】
躯体２０は、屋根部（屋根）２１と、外壁部２２と、屋根部２１および外壁部２２の内面に積層された断熱材２３と、基台部２４と、室３１を画成する内壁部２５１、天井２５２および床２５３と、室３２を画成する内壁部２６１、天井２６２および床２６３と、室３３を画成する内壁部２７１、天井２７２および床２７３とを有している。また、躯体２０の内部には、躯体内空間４０が形成されている。
【００４３】
この躯体内空間４０は、小屋空間４１、床下空間４２、ふところ空間４３、および内壁空間（内壁空洞）４４、４５、４６で構成されている。すなわち、躯体内空間４０は、小屋空間４１、床下空間４２、ふところ空間４３、および内壁空間４４、４５、４６が連通して形成される一続きの空間（連通空間）である。
【００４４】
小屋空間４１は、屋根の下方に形成される空間、すなわち、屋根部２１と、室３１の天井２５２の上部および室３３の天井２７２の上部との間に形成される空間である。
【００４５】
また、床下空間４２は、基台部２４と、室３２の床２６３の下部および室３３の床２７３の下部との間に形成される空間である。
【００４６】
また、ふところ空間４３は、隣接する上下の階の間（本実施形態では、１階と２階の間）に形成される空間、すなわち、室３１の床２５３の下部と室３２の天井２６２の上部との間に形成される空間である。
【００４７】
また、内壁空間（内壁空洞）４４は、外壁部（側壁）２２と、内壁部２５１、２６１との間に上下方向に沿って形成される空間、また、内壁空間４５は、内壁部２５１、２６１と、内壁部２７１との間に上下方向に沿って形成される空間、また、内壁空間４６は、外壁部２２と、内壁部２７１との間に上下方向に沿って形成される空間である。
【００４８】
また、住宅１０の屋根部２１の上面（外面）には、その略全体（全面）に、太陽電池（ソーラパネル）１１が設置されている。そして、住宅１０の所定箇所には、太陽電池１１で生成（発電）された電気エネルギー（電力）を蓄積（充電）する図示しない充電部を有する充電装置が設置されている。
【００４９】
この住宅１０には、小屋空間４１よりも鉛直方向下側（以下、単に「下側」と言う）の躯体内空間４０のうちの所定箇所（目的箇所）において、空気を暖める（空気の温度を上昇させる）ことにより、上昇気流（空気の駆動力）を発生させ、これにより躯体内空間４０内に空気を流す（循環させる）躯体内温度管理システム１が設けられている。
【００５０】
躯体内温度管理システム１は、住宅１０の外部から太陽光を採光する３つ（複数）の採光部８１、８２および８３と、太陽光を受光して熱（太陽熱）を吸収する２つ（複数）の吸熱部（吸熱部材）９１および９２と、太陽光を採光部８１、８２、８３から吸熱部９１、９２へ導光する導光手段７とを備えている。
各採光部８１〜８３は、それぞれ、屋根部２１の最下部より下側に設けられている。
【００５１】
また、これら３箇所（複数箇所）に設けられている採光部８１〜８３のうち、採光部８２と、採光部８３とは、互いの採光面同士が同じ方向を向くように設置されており、採光部８１と、前記採光部８２および８３とは、互いの採光面同士が異なる方向を向くように設置されている。これにより、太陽光を種々の角度から採光することができる。
【００５２】
より詳細に説明すると、採光部８１は、１階の側壁より下側に設けられている。具体的には、室３３の右側の外壁部２２の下部には、開口２２１が形成されている。また、室３３の右側の外壁部２２の右側であって、前記開口２２１に対応する位置には、基台部２４から上方に向って立設された壁部２６が設けられている。この壁部２６は、上側から見たとき略コの字状をなし、開口２２１を囲むように形成されている。そして、採光部８１は、壁部２６の上部に、壁部２６の上部と外壁部２２とで形成される開口を塞ぐように設けられている。また、採光部８１は、その左側（室３３側）より右側（室３３と反対側）が低くなるように傾斜している。
【００５３】
また、採光部８２は、２階の側壁に設けられている。具体的には、２階の室３１の左側の外壁部２２の内壁部２５１に対応する部位には、開口２２２が形成されており、採光部８２は、その開口２２２に嵌め込まれている。
【００５４】
また、採光部８３は、１階の側壁に設けられている。具体的には、１階の室３２の左側の外壁部２２の内壁部２６１に対応する部位には、開口２２３が形成されており、採光部８３は、その開口２２３に嵌め込まれている。
【００５５】
前記採光部８１〜８３は、それぞれ、本実施形態では、光透過性を有する板体（光透過部材）で構成されている。また、各採光部８１〜８３の構成材料としては、それぞれ、例えば、各種ガラスや各種樹脂等を用いることができる。
【００５６】
また、各採光部８１〜８３は、それぞれ、太陽光の直射を長時間受けることができる位置、例えば、南側に面する位置に配設されているのが好ましい。
なお、採光部の数は、３つに限らず、例えば、１つ、２つ、または４つ以上でもよい。
【００５７】
また、採光部８１の外側には、採光部８１を介して採光される太陽光の光量を調整する光量調整手段として、採光部８１の太陽光の採り入れ口（窓部）を開閉するシャッタ１３１が設けられている。シャッタ１３１は、図示しない駆動機構を有し、その駆動機構により駆動されて開閉するようになっている。また、シャッタ１３１は、そのシャッタ１３１が開いているときに採光部８１を介して採光される太陽光の光量を１００％としたとき、シャッタ１３１が閉じているときでも、採光部８１を介して採光される太陽光の光量が０％とならないように（完全には遮光されないように）構成されている。なお、シャッタ１３１が閉じているとき、採光部８１を介して採光される太陽光の光量が略０％となるように構成することもできる。
【００５８】
また、採光部８２の外側には、採光部８２を介して採光される太陽光の光量を調整する光量調整手段として、採光部８２の太陽光の採り入れ口（窓部）を開閉するシャッタ１３２が設けられており、また、採光部８３の外側には、採光部８３を介して採光される太陽光の光量を調整する光量調整手段として、採光部８３の太陽光の採り入れ口（窓部）を開閉するシャッタ１３３が設けられている。各シャッタ１３２および１３３の構成は、それぞれ、前記シャッタ１３１と同様であるので、その説明は省略する。
【００５９】
なお、各シャッタ１３１、１３２および１３３は、それぞれ、採光部８１、８２、８３の外側に限らず、採光部８１、８２および８３の内側（躯体内空間４０）に設けられていてもよい。
【００６０】
各吸熱部９１および９２は、それぞれ、小屋空間４１よりも下側の躯体内空間４０に設けられている。
【００６１】
また、これら２箇所（複数箇所）に設けられている吸熱部９１と、吸熱部９２とは、互いの吸熱面同士が異なる方向を向くように設置されている。これにより、太陽光を種々の角度から受光することができる。
【００６２】
より詳細に説明すると、吸熱部９１は、床下空間４２、すなわち、１階の室３２の床２６３の下側に設けられている。
【００６３】
また、吸熱部９２は、内壁空間４４、すなわち、１階の室３２の左側の外壁部２２（断熱材２３）の内側に設けられている。
前記吸熱部９１および９２は、それぞれ、本実施形態では、板状をなしている。
【００６４】
また、各吸熱部９１および９２の構成材料としては、それぞれ、太陽熱（太陽光）の吸収率が高いもの、すなわち、吸熱部９１、９２が設置される部位（設置面）よりも太陽熱（太陽光）の吸収率が高いものを用いる。
なお、吸熱部の数は、２つに限らず、例えば、１つ、または３つ以上でもよい。
【００６５】
また、吸熱部の位置は、前記床下空間４２や内壁空間４４に限らず、この他、例えば、ふところ空間４３、内壁空間４５、４６等が挙げられる。すなわち、吸熱部は、床下空間４２、ふところ空間４３、内壁空間４４、４５、４６のうちの、１つまたは２つ以上（複数）の領域に設けられていてもよい。また、前記各領域には、それぞれ、吸熱部を１つ設けてもよく、また、複数設けてもよい。
【００６６】
導光手段７は、６つ（複数）の反射板（反射面）７０１〜７０６、すなわち、床下空間４２に配設された反射板７０１〜７０３と、内壁空間４４に配設された反射板７０４〜７０６とを有している。
【００６７】
この場合、反射板７０１〜７０３の位置（配置）および姿勢（傾斜角度）は、採光部８１を介して採光された太陽光が、反射板７０１〜７０３により次々と反射され、吸熱部９１に照射されるように設定される。
【００６８】
また、反射板７０４〜７０６の位置および姿勢は、採光部８２を介して採光された太陽光が、反射板７０４〜７０６により次々と反射され、吸熱部９２に照射され、かつ、採光部８３を介して採光された太陽光が、反射板７０６で反射されて吸熱部９２に照射されるように設定される。
【００６９】
各反射板７０１〜７０６としては、それぞれ、反射率の高い反射面を有するものを用いるのが好ましい。具体的には、反射板７０１〜７０６の反射面の反射率は、９５％以上であるのが好ましく、９８％以上であるのがより好ましい。また、反射板７０１〜７０６の構成材料（反射板７０１〜７０６の反射面の構成材料）としては、例えば、アルミニウムやアルミニウム系合金等の金属材料を用いることができる。
【００７０】
反射板７０１〜７０６として反射率の高い反射面を有するものを用いることにより、これらによって導光される太陽光の損失を抑制することができ、太陽光の導光を効率良く行うことができる。
【００７１】
なお、導光手段を構成する反射板の数は、複数に限らず、１つでもよい。
また、導光手段は、反射板に限らず、例えば、管状をなす光ダクト等で構成してもよい。
【００７２】
また、躯体内温度管理システム１は、躯体内空間４０の複数箇所に設けられ、電気エネルギーで発熱する人工熱源として、８つ（複数）のＬＥＤ（発光ダイオード）１２１〜１２８、すなわち、ふところ空間４３に配設されたＬＥＤ１２１〜１２３と、床下空間４２に配設されたＬＥＤ１２４、内壁空間４５に配設されたＬＥＤ１２５および１２６と、内壁空間４６に配設されたＬＥＤ１２７および１２８とを有している。各ＬＥＤ１２１〜１２８は、それぞれ、躯体内空間４０の温度制御の補助熱源として用いられる。すなわち、ＬＥＤを発光（駆動）させると発熱するので、この躯体内温度管理システム１では、各ＬＥＤ１２１〜１２８が発するJ熱（熱エネルギー）を利用し、躯体内空間４０の温度制御（温度調整）が行われる。また、これらのうちのＬＥＤ１２２、１２５および１２６は、それぞれ、補助光源（補助照明）としても用いられる。
【００７３】
各ＬＥＤ１２１〜１２８は、それぞれ、吸熱部９１、９２が設置されていない箇所に設置されている。
【００７４】
ここで、ＬＥＤの寸法は小さく、その空気抵抗は非常に小さいので、人工熱源としてＬＥＤを用いることにより、空気は、躯体内空間４０内を円滑に流れることができる。
【００７５】
また、人工熱源としてＬＥＤを用いるので、それを、所定の室内を補助的に照明する補助光源（補助照明）として兼用することができる。
なお、ＬＥＤ（人工熱源）を設置する箇所（位置）は、図示の箇所には限定されない。
【００７６】
ＬＥＤ（人工熱源）の好適な設置箇所（設置位置）としては、例えば、導光手段７により太陽光を導き難い箇所（位置）等が挙げられる。
【００７７】
また、ＬＥＤ（人工熱源）を、吸熱部９１、９２が設置されていない箇所と、吸熱部９１、９２が設置されている箇所とに設置してもよい。この場合は、吸熱部９１、９２が設置されていない箇所に設置されているＬＥＤの稼動率を、吸熱部９１、９２が設置されている箇所に設置されているＬＥＤの稼動率より高くするのが好ましい。
【００７８】
また、躯体内温度管理システム１は、室３１に設けられ、ＬＥＤ１２２から発せられた光を室３１内に放光（照射）する放光部１４１およびＬＥＤ１２５から発せられた光を室３１内に放光する放光部１４２と、室３２に設けられ、ＬＥＤ１２２から発せられた光を室３２内に放光する放光部１４３およびＬＥＤ１２６から発せられた光を室３２内に放光する放光部１４４と、室３３に設けられ、ＬＥＤ１２５から発せられた光を室３３内に放光する放光部１４５およびＬＥＤ１２６から発せられた光を室３３内に放光する放光部１４６とを有している。
【００７９】
具体的には、室３１の床２５３のＬＥＤ１２２に対応する部位には、図示しない開口が形成されており、放光部１４１は、その開口に嵌め込まれている。
【００８０】
また、室３１の右側の内壁部２５１のＬＥＤ１２５に対応する部位には、図示しない開口が形成されており、放光部１４２は、その開口に嵌め込まれている。
【００８１】
また、室３２の天井２６２のＬＥＤ１２２に対応する部位には、図示しない開口が形成されており、放光部１４３は、その開口に嵌め込まれている。
【００８２】
また、室３２の右側の内壁部２６１のＬＥＤ１２６に対応する部位には、図示しない開口が形成されており、放光部１４４は、その開口に嵌め込まれている。
【００８３】
また、室３３の左側の内壁部２７１のＬＥＤ１２５に対応する部位には、図示しない開口が形成されており、放光部１４５は、その開口に嵌め込まれている。
【００８４】
また、室３３の左側の内壁部２７１のＬＥＤ１２６に対応する部位には、図示しない開口が形成されており、放光部１４６は、その開口に嵌め込まれている。
【００８５】
前記放光部１４１〜１４６は、それぞれ、本実施形態では、光透過性を有する部材（光透過部材）と、光を拡散する拡散板等の光学部品とで構成されている。
【００８６】
なお、前記ＬＥＤ１２２、１２５および１２６の近傍には、それぞれ、図示しない反射板等が設けられており、対応する２つの放光部に向って光を照射し得るように構成されている。
【００８７】
また、躯体内温度管理システム１は、住宅１０の外部から躯体内空間４０に空気を流入（導入）する換気部（流入部）１０２と、躯体内空間４０内の空気を住宅１０の外部に流出（排出）する換気部（流出部）１０１とを備えている。
【００８８】
換気部１０１は、屋根部２１の右側の頂上部（中央部）に形成され、小屋空間４１と外部とを連通する図示しない開口（空気の流出口）と、この開口を開閉する図示しないシャッタとで構成されている。
【００８９】
また、換気部１０２は、左側の外壁部２２の下部に形成され、床下空間４２と外部とを連通する図示しない開口（空気の流入口）と、この開口を開閉する図示しないシャッタとで構成されている。
【００９０】
前記各シャッタは、それぞれ、図示しない駆動機構を有し、その駆動機構により駆動されて開閉するようになっている。
【００９１】
また、図２に示すように、躯体内温度管理システム１は、住宅１０内の所定箇所に設置された制御装置１５を有している。制御装置１５は、ＣＰＵ（制御手段）、メモリ（記憶手段）、表示部、操作部および電源部（いずれも図示せず）等を有し、例えば、前述したＬＥＤ１２１〜１２８、シャッタ１３１〜１３３の駆動機構、換気部１０１および１０２のシャッタの駆動機構等、躯体内温度管理システム１全体の駆動（作動）を制御する。なお、制御装置１５により、温度制御手段の主機能が達成される。
【００９２】
前述した充電装置の充電部に蓄積（充電）されている電気エネルギー（電力）は、前記制御装置１５、ＬＥＤ１２１〜１２８、シャッタ１３１〜１３３の駆動機構、換気部１０１および１０２のシャッタの駆動機構や、その他、住宅１０内の各部において、使用される。
【００９３】
次に、躯体内温度管理システム１の作用（動作）について説明する。
住宅１０の居住者等のユーザ（使用者）が制御装置１５の操作部の電源スイッチをオンすると、制御装置１５が作動する。
【００９４】
図３に示すように、太陽光は、採光部８１から床下空間４２に採光され、反射板７０１〜７０３により次々と反射され、吸熱部９１に照射される。これにより、吸熱部９１は、太陽光を受光し、その熱（太陽熱）を吸収して、温度が上昇し、これによって、吸熱部９１の周囲（近傍）の空気の温度が上昇して上昇気流（空気の駆動力）が発生する。
【００９５】
また、太陽光は、採光部８２から内壁空間４４に採光され、反射板７０４〜７０６により次々と反射され、吸熱部９２に照射されるとともに、採光部８３から内壁空間４４に採光され、反射板７０６で反射されて吸熱部９２に照射される。これにより、吸熱部９２は、太陽光を受光し、その熱（太陽熱）を吸収して、温度が上昇し、これによって、吸熱部９２の周囲（近傍）の空気の温度が上昇して上昇気流（空気の駆動力）が発生する。
【００９６】
これにより、図３中の破線の矢印で示すように、躯体内空間４０内を空気が円滑に流れる（循環する）。これによって、躯体内空間４０の温度や湿度を略均一にすることができ、また、躯体内空間４０の湿気を除去することができる。
【００９７】
ここで、換気部１０１および１０２の開口が閉じている場合は、これらからは、躯体内空間４０内の空気は流出せず、躯体内空間４０内の熱エネルギーは放出されない。これにより、吸熱部９１および９２で発生した熱により、躯体内空間４０全体が確実に暖められ、住宅１０内の全体を効率良く暖める（暖房する）ことができる。
【００９８】
一方、換気部１０１および１０２の開口が開いている場合は、住宅１０の外部の空気が換気部１０２から床下空間４２（躯体内空間４０）に流入し、小屋空間４１（躯体内空間４０）内の空気が換気部１０１から住宅１０の外部に流出する。これにより、躯体内空間４０を換気することができるとともに、躯体内空間４０内の熱エネルギーを放出することができ、躯体内空間４０の温度の上昇が抑制され、住宅１０内の温度の上昇を抑制することができる。
【００９９】
また、ＬＥＤ１２１〜１２８のうちの所定のＬＥＤが点灯して発光すると、そのＬＥＤが発する熱（熱エネルギー）により、そのＬＥＤの周囲の温度が上昇する。従って、躯体内空間４０のうちの温度が低い箇所に設置されているＬＥＤを点灯（発光）させることにより、より確実に躯体内空間４０の温度を均一にすることができる。
【０１００】
また、ＬＥＤ１２２が点灯すると、そのＬＥＤ１２２から発せられた光は、放光部１４１および１４２を介して室３１および３２内に照射され、室３１および３２内が照明される。
【０１０１】
また、ＬＥＤ１２５が点灯すると、そのＬＥＤ１２５から発せられた光は、放光部１４２および１４５を介して室３１および３３内に照射され、室３１および３３内が照明される。
【０１０２】
また、ＬＥＤ１２６が点灯すると、そのＬＥＤ１２６から発せられた光は、放光部１４４および１４６を介して室３２および３３内に照射され、室３２および３３内が照明される。
【０１０３】
また、この躯体内温度管理システム１では、制御装置１５は、例えば、季節、時間帯、天候、気温、湿度等の諸条件に応じて、ＬＥＤ１２１〜１２８の駆動（点灯／消灯）、シャッタ１３１〜１３３の駆動機構の駆動（開／閉）、換気部１０１および１０２のシャッタの駆動機構の駆動（開／閉）を制御し、躯体内空間４０の温度や湿度を調整（制御）する。
【０１０４】
この場合、例えば、制御装置１５は、躯体内空間４０の温度が略均一になるように、ＬＥＤ１２１〜１２８の駆動を制御する。すなわち、ＬＥＤ１２１〜１２８のうち、躯体内空間４０のうちの温度が低い箇所に設置されているＬＥＤを点灯（発光）させる。これにより、より容易に、かつ、より確実に躯体内空間４０の温度を均一にすることができる。
【０１０５】
以上説明したように、この躯体内温度管理システム１によれば、簡易な構造で、住宅１０の躯体内空間４０における通気や空気の循環を容易かつ確実に行うことができ、これにより、躯体内空間４０の温度や湿度の管理を容易に行うことができる。これによって、住宅１０において快適に生活することができ、また、住宅１０の耐久性を向上させることができる。
【０１０６】
また、吸熱部９１および９２が小屋空間４１よりも下側の躯体内空間４０に設けられているので、小屋空間４１よりも下側の箇所において、駆動力となる上昇気流を発生させることができ、これによって、躯体内空間４０における通気や空気の循環をより確実に行うことができる。
【０１０７】
また、吸熱部を躯体内空間４０の任意の箇所に設けることができ、よって、吸熱部を躯体内空間４０の目的箇所に設けることにより、その目的箇所において駆動力となる上昇気流を発生させることができる。これにより、躯体内空間４０における空気の流れや循環を自在に設定することができる。
【０１０８】
また、吸熱部９１、９２により太陽光を効率良く熱に変換することができるとともに、太陽光が躯体内空間４０において吸熱部に照射（受光）されるので、吸熱部９１、９２に吸収された熱（熱エネルギー）が、効率良く、吸熱部９１、９２の周囲の空気に伝達され、その空気の温度が上昇させることができ、熱効率が非常に良い。
【０１０９】
また、躯体内空間４０に空気を流すためのファン等の送気装置を設ける必要がないので、騒音がなく、快適である。
【０１１０】
また、採光部８１〜８３が屋根部２１の最下部より下側に設けられているので、その採光部８１〜８３から、小屋空間４１よりも下側の躯体内空間４０に設けられている吸熱部９１および９２に、容易に、太陽光を導くことができる。
【０１１１】
また、採光部８１〜８３が屋根部２１の最下部より下側に設けられているので、屋根部２１の略全体を、他の用途に活用することができる。すなわち、前述したように、屋根部２１の略全体（全面）に、太陽電池１１を設置することができる。
【０１１２】
次に、本発明の躯体内温度管理システムの第２実施形態について説明する。
図４は、本発明の躯体内温度管理システムの第２実施形態が適用された建築物としての住宅の概略構造を示す断面図である。
【０１１３】
なお、説明の都合上、図４において、上側を「上」、下側を「下」、左側を「左」、右側を「右」として説明する。
【０１１４】
以下、第２実施形態の躯体内温度管理システム１について、前述した第１実施形態との相違点を中心に説明し、同様の事項については、その説明を省略する。
【０１１５】
第２実施形態の躯体内温度管理システム１は、採光部を介して採光された太陽光を反射させずに吸熱部へ導光する導光手段を有している。
【０１１６】
すなわち、図４に示すように、第２実施形態の躯体内温度管理システム１では、図１に示す導光手段７の反射板７０４〜７０６が省略されている。
【０１１７】
また、吸熱部９２に代えて、２つ（複数）の吸熱部９３および９４が、内壁空間４４に設けられている。この場合、吸熱部９３は、２階の室３１の左側の内壁部２５１の外側に設置され、吸熱部９４は、１階の室３２の左側の内壁部２６１の外側に設置されている。
【０１１８】
太陽光は、採光部８２から内壁空間４４に採光され、反射されずに、吸熱部９３に照射され、また、採光部８３から内壁空間４４に採光され、反射されずに、吸熱部９４に照射さる。
【０１１９】
この躯体内温度管理システム１によれば、前述した第１実施形態の躯体内温度管理システム１と同様の効果が得られる。
【０１２０】
次に、本発明の躯体内温度管理システムの第３実施形態について説明する。
図５は、本発明の躯体内温度管理システムの第３実施形態が適用された建築物としての住宅の概略構造を示す断面図である。
【０１２１】
なお、説明の都合上、図５において、上側を「上」、下側を「下」、左側を「左」、右側を「右」として説明する。
【０１２２】
以下、第３実施形態の躯体内温度管理システム１について、前述した第２実施形態との相違点を中心に説明し、同様の事項については、その説明を省略する。
【０１２３】
図５に示すように、第３実施形態の躯体内温度管理システム１では、住宅１０の右側の障害物２００を避けるため、壁部２６の高さが高く設定されている。
【０１２４】
また、反射板７０３に代えて、反射板（反射面）７０７が、室３３の右側の外壁部２２の外側に設置され、反射板（反射面）７０８が、壁部２６の内側に設置されている。
【０１２５】
また、吸熱部９１に代えて、吸熱部９５が、基台部２４の上部（内側）に設置されている。
【０１２６】
採光部８１を介して採光された太陽光は、反射板７０７、７０８、７０１および７０２により次々と反射され、吸熱部９５に照射される。
【０１２７】
この躯体内温度管理システム１によれば、前述した第２実施形態の躯体内温度管理システム１と同様の効果が得られる。
【０１２８】
次に、本発明の躯体内温度管理システムの第４実施形態について説明する。
図６は、本発明の躯体内温度管理システムの第４実施形態が適用された建築物としての住宅の概略構造を示す断面図である。
【０１２９】
なお、説明の都合上、図６において、上側を「上」、下側を「下」、左側を「左」、右側を「右」として説明する。
【０１３０】
以下、第４実施形態の躯体内温度管理システム１について、前述した第２実施形態との相違点を中心に説明し、同様の事項については、その説明を省略する。
【０１３１】
第４実施形態の躯体内温度管理システム１は、採光部を介して採光された太陽光を、住宅（建築物）１０の所定の室内を経由して吸熱部へ導光するとともに、その際、太陽光を反射させずに前記室内を通過させる導光手段を有している。
【０１３２】
すなわち、図６に示すように、第４実施形態の躯体内温度管理システム１では、採光部８１およびシャッタ１３１に代えて、採光部８４およびシャッタ１３４が設けられている。具体的には、室３３の右側の外壁部２２の内壁部２７１に対応する部位には、開口２２４が形成されており、採光部８４は、その開口２２４に嵌め込まれている。また、採光部８４の外側には、採光部８４を介して採光される太陽光の光量を調整する光量調整手段として、採光部８４の太陽光の採り入れ口（窓部）を開閉するシャッタ１３４が設けられている。
【０１３３】
また、反射板７０１〜７０３に代えて、反射板（反射面）７０９および７１０が、床下空間４２に設置されている。
【０１３４】
また、吸熱部９１および９４に代えて、吸熱部９６および９７が設置されている。吸熱部９６は、内壁空間４５、すなわち、１階の室３２の右側の内壁部２６１の外側に設置されている。また、吸熱部９７は、床下空間４２、すなわち、基台部２４の上部（内側）に設置されている。
【０１３５】
また、室３３の右側の内壁部２７１には、光透過性を有する窓部１６１が設けられ、室３３の左側の内壁部２７１から床２７３にかけて、光透過性を有するＬ字状の窓部１６２が設けられている。
【０１３６】
また、１階の室３２の左側の内壁部２６１および床２６３には、それぞれ、光透過性を有する窓部１６３および１６４が設けられている。
【０１３７】
太陽光は、採光部８４から内壁空間４６に採光され、窓部１６１を透過し、室３３内を通り（経由し）、窓部１６２を透過する。窓部１６２を透過した太陽光の一部は、吸熱部９６に照射され、残部は、反射板７０９および７１０により次々と反射され、吸熱部９７に照射される。
【０１３８】
また、太陽光は、採光部８３から内壁空間４４に採光され、窓部１６３を透過し、室３２内を通り（経由し）、窓部１６４を透過し、吸熱部９７に照射される。
【０１３９】
この躯体内温度管理システム１によれば、前述した第２実施形態の躯体内温度管理システム１と同様の効果が得られる。
【０１４０】
次に、本発明の躯体内温度管理システムの第５実施形態について説明する。
図７は、本発明の躯体内温度管理システムの第５実施形態が適用された建築物としての住宅の概略構造を示す断面図、図８は、図７に示す躯体内温度管理システムの採光部および導光手段の一部（ユニット）を示す断面図（図７中のＡ−Ａ線での断面図）、図９は、図７に示す躯体内温度管理システムの採光部および導光手段の一部（ユニット）を示す斜視図である。
【０１４１】
なお、図９では、外部からは見ることができない内部の各反射板が、あたかも見えるかのように、模式的に記載されている。そして、各反射板を他の部分と区別し易くするために、各反射板に斜線を付している。
【０１４２】
また、図７〜図９において、上下方向が鉛直方向であり、東西南北の方向（方位）は、図中に矢印で示されている。
【０１４３】
また、説明の都合上、図７〜図９において、上側を「上」、下側を「下」、左側を「左」、右側を「右」として説明する。
【０１４４】
以下、第５実施形態の躯体内温度管理システム１について、前述した第１実施形態との相違点を中心に説明し、同様の事項については、その説明を省略する。
【０１４５】
図７に示すように、第５実施形態の躯体内温度管理システム１が適用された住宅１０では、２階の室３１および１階の室３２は、それぞれ、北側に位置し、室３３は、南側に位置している。そして、この第５実施形態の躯体内温度管理システム１では、採光部６は、住宅１０の北側に設けられ、略東側および略西側から太陽光を採光し得るよう構成されている。
【０１４６】
また、吸熱部９８は、床下空間４２、すなわち、基台部２４の上部（内側）に設置されている。
【０１４７】
また、換気部１０２に代えて、換気部（流入部）１０３が、右側の外壁部２２の下部に設けられている。換気部１０３は、右側の外壁部２２の下部に形成され、床下空間４２と外部とを連通する図示しない開口（空気の流入口）と、この開口を開閉する図示しないシャッタとで構成されている。このシャッタは、図示しない駆動機構を有し、その駆動機構により駆動されて開閉するようになっている。
【０１４８】
図７〜図９に示すように、躯体内温度管理システム１の採光部６および導光手段７の一部は、ユニット化されており、以下、これを「ユニット１００」と言う。すなわち、ユニット１００は、筐体（ケーシング）５と、この筐体５に設けられた採光部６および導光手段７の一部とで構成されている。
【０１４９】
筐体５は、北側から見たときの外観形状が略五角形（上側が略三角形）をなし、その鉛直方向上側（以下、単に「上側」と言う）に採光部６が設けられている採光部側ケーシング５１と、北側から見たときの外観形状が略四角形をなし、その鉛直方向下側（以下、単に「下側」と言う）の南側（図７中の右側）の端部に開口５２１が形成されている出射部側ケーシング５２とで構成されている。出射部側ケーシング５２は、採光部側ケーシング５１の下側の端部の南側に位置し、これら採光部側ケーシング５１の中空部（内部）と出射部側ケーシング５２の中空部とは、互いに連通している。なお、筐体５は、採光部側ケーシング５１と出射部側ケーシング５２とを一体的に形成したものでもよく、また、別体の採光部側ケーシング５１と出射部側ケーシング５２とを接合（固着）して形成したものでもよい。
【０１５０】
また、筐体５の採光部側ケーシング５１は、住宅１０の外部に位置している。すなわち、採光部側ケーシング５１は、住宅１０の北側の外壁部２２の外面に設置されている。
【０１５１】
一方、出射部側ケーシング５２は、住宅１０の内部に位置している。すなわち、出射部側ケーシング５２は、住宅１０の北側の躯体２０の、床下空間４２に対応する位置に形成されている孔部を挿通し、床下空間４２に挿入されている。
【０１５２】
この筐体５は、断熱されているのが好ましい。すなわち、筐体５の内面には、例えば、断熱ボード（断熱板）等の断熱層（断熱材）が設けられているのが好ましい。これにより、結露を防止することができる。
【０１５３】
また、採光部側ケーシング５１の上端には、開口５１１が形成されており、その上端に、採光部６が設けられている。すなわち、採光部６は、採光部側ケーシング５１の上端に、開口５１１を塞ぐように設置されている。
【０１５４】
前記採光部６は、光透過性を有し、中央部で屈曲した（折れ曲がった）板体（光透過部材）で構成されており、北側から見たときの外観形状が略「へ」の字状をなしている。すなわち、採光部６は、東西方向の中央部から、東側が低くなるように東側に向って傾斜する第１の板状部６１と、前記中央部から、西側が低くなるように西側に向って傾斜する第２の板状部６２とで構成されている。
【０１５５】
第１の板状部６１と第２の板状部６２とのなす角θは、特に限定されないが、図示例のように、９０°より大きく設定されるのが好ましい。
【０１５６】
この採光部６では、第１の板状部６１を介して東側から太陽光を採光し、第２の板状部６２を介して西側から太陽光を採光することができる。
【０１５７】
また、採光部６の外側には、採光部６を介して採光される太陽光の光量を調整する光量調整手段として、採光部６の太陽光の採り入れ口（窓部）を開閉する図示しないシャッタが設けられている。
【０１５８】
導光手段７は、床下空間４２、すなわち、１階の室３２の床２６３の下側に設置された反射板（反射面）７１１と、筐体５内に設置された５つ（複数）の反射板（反射面）７１〜７５とで構成されている。
【０１５９】
この場合、反射板（第１の反射面）７１と、反射板（第２の反射面）７２と、反射板（第３の反射面）７３は、それぞれ、採光部側ケーシング５１内に設置されている。すなわち、反射板７１は、採光部側ケーシング５１の西側の内面に設置され、反射板７２は、採光部側ケーシング５１の東側の内面に設置されている。そして、反射板７３は、採光部側ケーシング５１の下側（鉛直方向下側）の内面に設置されており、この反射板７３は、反射板７１と反射板７２との間に、東西方向沿って延在している（配置されている）。
【０１６０】
また、反射板７４と、反射板７５は、それぞれ、出射部側ケーシング５２内に設置されている。すなわち、反射板７４は、出射部側ケーシング５２の上側の内面に設置され、反射板７５は、出射部側ケーシング５２の下側の内面に設置されている。
【０１６１】
なお、前述したように、筐体５のうち、反射板７１、７２および７３が収納されている採光部側ケーシング５１は、住宅１０の外部に位置し、反射板７４および７５が収納されている出射部側ケーシング５２は、住宅１０の内部に位置している。
【０１６２】
ここで、筐体５は、光透過性を有していてもよく、また、遮光性を有していてもよく、また、一部分が光透過性を有し、その残部が遮光性を有していてもよい。但し、筐体５の採光部側ケーシング５１の北側の壁部５１２は、遮光性を有しているのが好ましく、その壁部５１２の内面に、反射板（反射面）を設けるのが好ましい。これにより、採光部６で採光した光を、その反射板で反射させて、吸熱部９８へ導光することができ、光の損失をさらに抑制することができる。
【０１６３】
また、採光部側ケーシング５１の南側の壁部５１３の内面に、反射板（反射面）を設けてもよい。これにより、採光部６で採光した光を、その反射板で反射させて、吸熱部９８へ導光することができ、光の損失をさらに抑制することができる。
【０１６４】
図７〜図９に示すように、太陽が西側に位置しているときは、その太陽光は、採光部６の第２の板状部６２から光照射装置１内に採光される。この採光部６において西側から採光された太陽光は、反射板７２で反射板７３に向って反射し、その反射光は、反射板７３で反射板７４に向って反射し（住宅１０の内側に向って反射し）、その反射光は、反射板７４で反射板７５に向って反射し、その反射光は、反射板７５で反射板７１１に向って反射し、その反射光は、反射板７１１で吸熱部９８に向って反射して吸熱部９８に照射される。
【０１６５】
また、太陽が東側に位置しているときは、その太陽光は、採光部６の第１の板状部６１から光照射装置１内に採光される。この採光部６において東側から採光された太陽光は、反射板７１で反射板７３に向って反射し、その反射光は、反射板７３で反射板７４に向って反射し（住宅１０の内側に向って反射し）、その反射光は、反射板７４で反射板７５に向って反射し、その反射光は、反射板７５で反射板７１１に向って反射し、その反射光は、反射板７１１で吸熱部９８に向って反射して吸熱部９８に照射される。
【０１６６】
この躯体内温度管理システム１によれば、前述した第１実施形態の躯体内温度管理システム１と同様の効果が得られる。
【０１６７】
以上、本発明の躯体内温度管理システムを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１６８】
また、本発明は、前記各実施形態のうちの、任意の２以上の構成（特徴）を組み合わせたものであってもよい。
【０１６９】
また、本発明の躯体内温度管理システムが適用される住宅（建築物）は、２階建てに限らず、例えば、１階建て、または、３階建て以上であってもよい。また、例えば、地下室が設けられていてもよい。
【０１７０】
また、本発明の躯体内温度管理システムが適用される建築物は、住宅に限るものではなく、例えば、ビル等の他の建築物であってもよい。
【図面の簡単な説明】
【０１７１】
【図１】本発明の躯体内温度管理システムの第１実施形態が適用された建築物としての住宅の概略構造を示す断面図である。
【図２】図１に示す躯体内温度管理システムのブロック図である。
【図３】図１に示す躯体内温度管理システムの作用（機能）を説明するための断面図である。
【図４】本発明の躯体内温度管理システムの第２実施形態が適用された建築物としての住宅の概略構造を示す断面図である。
【図５】本発明の躯体内温度管理システムの第３実施形態が適用された建築物としての住宅の概略構造を示す断面図である。
【図６】本発明の躯体内温度管理システムの第４実施形態が適用された建築物としての住宅の概略構造を示す断面図である。
【図７】本発明の躯体内温度管理システムの第５実施形態が適用された建築物としての住宅の概略構造を示す断面図である。
【図８】図７に示す躯体内温度管理システムの採光部および導光手段の一部（ユニット）を示す断面図（図７中のＡ−Ａ線での断面図）である。
【図９】図７に示す躯体内温度管理システムの採光部および導光手段の一部（ユニット）を示す斜視図である。
【符号の説明】
【０１７２】
１                躯体内温度管理システム
１０              住宅
１１              太陽電池
２０              躯体
２１              屋根部
２２              外壁部
２２１〜２２４    開口
２３              断熱材
２４              基台部
２５１、２６１、２７１  内壁部
２５２、２６２、２７２  天井
２５３、２６３、２７３  床
２６              壁部
３１、３２、３３  室
４０              躯体内空間
４１              小屋空間
４２              床下空間
４３              ふところ空間
４４、４５、４６  内壁空間
５                筐体
５１              採光部側ケーシング
５１１            開口
５１２、５１３    壁部
５２              出射部側ケーシング
５２１            開口
６                採光部
６１              第１の板状部
６２              第２の板状部
７                導光手段
７０１〜７１１    反射板
７１〜７５        反射板
８１〜８４        採光部
９１〜９８        吸熱部
１０１〜１０３    換気部
１２１〜１２８    ＬＥＤ
１３１〜１３４    シャッタ
１４１〜１４６    放光部
１５              制御装置
１６１〜１６４    窓部
１００            ユニット
２００            障害物
【図１】
2007120131.tif 000003
【図２】
2007120131.tif 000004
【図３】
2007120131.tif 000005
【図４】
2007120131.tif 000006
【図５】
2007120131.tif 000007
【図６】
2007120131.tif 000008
【図７】
2007120131.tif 000009
【図８】
2007120131.tif 000010
【図９】
2007120131.tif 000011